(57)【特許請求の範囲】
【請求項１】
互いに直交する長尺部材の接合構造であって、一方の長尺部材には第一接合部材が、他方の長尺部材には第二接合部材がそれぞれ取り付けてあり、該第一接合部材は正面壁と該正面壁より正面壁に対して直交して延出する左右の縦片と該正面壁より正面壁に対して直交して水平状に延出する横片とを備えており、該第二接合部材は正面壁と上面壁と下面壁とから側面視略コ字状に形成されており、該上面壁あるいは該正面壁または該下面壁には該第一接合部材の該横片を受け入れる第一受け部が形成されており、該正面壁の左右方向には該第一接合部材の左右の縦片を受け入れる第二受け部がそれぞれ形成されており、該横片を該第一受け部に係合させると共に該左右の縦片を該第二受け部に係合させるようにして該第一接合部材と該第二接合部材とを重合させ、この状態で該第一接合部材と該第二接合部材とを固着するように構成されていることを特徴とする互いに直交する部材の接合構造。
【請求項２】
前記横片、前記縦片は、延出方向の先端部位のみが前記第一受け部、前記第二受け部に係合するように構成されていることを特徴とする請求項１に記載の互いに直交する部材の接合構造。
【請求項３】
前記縦片は第一接合部材の正面壁の左右方向端部の余端部を正面壁に対して直交方向に折曲してなる折曲片であり、前記第二受け部は第二接合部材の正面壁の左右方向端部に切り欠き形成されていることを特徴とする請求項１，２いずれかに記載の互いに直交する部材の接合構造。
【請求項４】
前記横片は第一接合部材の正面壁の左右方向中央部位より正面壁に対して鉛直方向に水平状に延出してなる中央延出片であり、前記第一受け部は第二接合部材の上面壁の左右方向中央部位に切り欠き形成されていることを特徴とする請求項１乃至３いずれかに記載の互いに直交する部材の接合構造。
【発明の詳細な説明】
【０００１】
【発明の属する技術分野】
本発明は、互いに直交する部材の接合構造に係り、好適には、金属製建具の上枠と竪枠との接合構造に関するものである。
【０００２】
【従来の技術】
従来、金属製建具において、上枠と竪枠とを取り付けるには、サイドピン方式とガイドプレート方式があった。図１２（ａ）はサイドピン方式を示す概略斜視図であって、上枠ａの端部に水平方向に延出するピンｂを設けると共に、竪枠ｃの側部には該ピンｂを受け入れる受け孔ｄを形成してある。そして、該ピンｂを受け孔ｄに挿通させて、止着用タップ孔ｅに止め螺子ｆを螺合するようになっている。しかしながら、枠体を形成するステンレス部材は、孔明け等の加工をしてから曲げ加工を行うという性質上、中間に曲げが存在する竪枠における孔のピッチ間の距離の精度には限界がある。したがって、上枠に形成した受け孔、タップ孔の径はガイドピン、止め螺子の径に対して大きくする必要があった。その結果、竪枠と上枠を組み立てる場合に、水平方向および垂直方向に前記孔とガイドピン等とのクリアランス分のガタが生じるため、上枠と竪枠とを適正な位置に調整して接合するのに手間がかかるという欠点があった。
【０００３】
図１２（ｂ）はガイドプレート方式を示す概略斜視図である。ガイドプレート方式は、上枠ａの内のり寸法に合わせたガイドプレートｇを取り付けた竪枠ｃと上枠ａを接合する方法のため、組立において調整作業がないという利点がある。しかし、ガイドプレートの取付位置が正確でなかった場合には調節する手段がなく、再製作をする必要があった。また、ステンレス部材は意匠上、曲げコーナー部ｈをシャープに見せるため、曲げコーナー部ｈにV溝加工ｉを行っていることから、組立作業中に接合した部材に無理な力を加えた場合に、サイドプレート部が上枠の曲げコーナー部に直接当たることにより、曲げコーナー部に割れが生じてしまうという惧れがあった。
【０００４】
【発明が解決しようとする課題】
本発明は、上記不具合を解決するために創案されたものであって、位置出しに優れると共に、強度的にも良好な互いに直交する部材の接合構造を提供することを目的とするものである。本発明の他の目的は、互いに直交する部材の接合構造において、取付精度が悪い場合であっても、現場において簡単に寸法調整が可能なような接合部材を提供することにある。
【０００５】
【課題を解決するための手段】
かかる課題を達成するために本発明が採用した技術手段は、互いに直交する長尺部材の接合構造であって、一方の長尺部材には第一接合部材が、他方の長尺部材には第二接合部材がそれぞれ取り付けてあり、該第一接合部材は正面壁と該正面壁より正面壁に対して直交して延出する左右の縦片と該正面壁より正面壁に対して直交して水平状に延出する横片とを備えており、該第二接合部材は正面壁と上面壁と下面壁とから側面視略コ字状に形成されており、該上面壁あるいは該正面壁または該下面壁には該第一接合部材の該横片を受け入れる第一受け部が形成されており、該正面壁の左右方向には該第一接合部材の左右の縦片を受け入れる第二受け部がそれぞれ形成されており、該横片を該第一受け部に係合させると共に該左右の縦片を該第二受け部に係合させるようにして該第一接合部材と該第二接合部材とを重合させ、この状態で該第一接合部材と該第二接合部材とを固着するように構成されていることを特徴とするものである。
【０００６】
本発明に係る接合構造は上記のように構成されているので、水平方向の位置出しは第一接合部材の横片と第二接合部材の第一受け部が受け持ち、垂直方向の位置出しは第一接合部材の左右の縦片と第二接合部材の第二受け部が受け持つようになっている。外力に対しても、水平方向の外力は第一接合部材の横片と第二接合部材の第一受け部が受け持ち、垂直方向の外力は第一接合部材の左右の縦片と第二接合部材の第二受け部が受け持つようになっている。
【０００７】
本発明によれば、水平方向の位置出しは、横片の左右の前後方向に延出する端縁が第一受け部の左右の前後方向に延出する端縁に当接することによって行うことができる。垂直方向の位置出しは、前記水平方向の位置出しとは独立して、縦片が第二受け部に係合することによって行う。位置出しは、部品の切り欠き寸法精度で決定されるため、切り欠きにおいては寸法精度を出し易いことから、ガタがない組み立てが可能となる。
【０００８】
好ましくは、前記横片、前記縦片は、延出方向の先端部位のみが前記第一受け部、前記第二受け部に係合するように構成されている。先端部位とは、例えば、延出寸法の半分程度の部位を言う。先端部位のみが受け部に係合するように構成することで、先端部位をサンダー等で研磨することで、現場において寸法調整を容易に行うことができる。
【０００９】
【発明の実施の形態】
図１は金属製建具の正面図であり、建具は、上枠１と、上枠１の左右端部に連結される左右の竪枠２と、左右の竪枠２間を連結する無目３と、左右の竪枠２の下端部位間に水平状に延出する幅木４と、上枠１と無目３の幅方向中央部位同士を上下に連結する方立て５と、欄間窓部６と、嵌め殺し窓部７を備えている。図２は、図1に示す建具の横方向断面図（ａ）、縦方向断面図（ｂ）であって、各部材の断面形状を示している。
【００１０】
上枠１と竪枠２とは互いに直交する長尺部材から形成されており、それぞれ長さ方向に延出する凹部状の溝部１２が形成されており、欄間窓部６や嵌め殺し窓部７の端部を受け入れるようになっている。互いに直交する長尺部材である上枠１と竪枠２とは、それぞれに連結される第一接合部材８、第二接合部材９を介して接合される。
【００１１】
図３は第一接合部材８を示す、平面図（ａ）および正面図（ｂ）である。第一接合部材８は、左右方向に延出する略長方形状の正面壁８ａと、正面壁８ａの長さ方向左右の余端部を正面壁８ａの面に対して略直交方向に、互いに対向するように折曲してなる左右の折曲片８ｂ，８ｂ（特許請求の範囲における縦片に対応）と、正面壁８ａの上端縁の左右方向中央部位を、所定幅分だけ水平方向に延出してなる中央延出片８ｃ（特許請求の範囲における横片に対応）とを備えている。中央延出片８ｃは、左右方向に延出する端縁８０ａと、前後方向に延出する左右の端縁８０ｂ，８０ｂとから略長方形状に形成されている。
【００１２】
正面壁８ａの左右方向中央部位には、切り欠き部８ｄが、正面壁８ａの下端縁より上下方向に向って切り欠き形成されている。正面壁８ａには、切り欠き部８ｄを挟むようにして二つの孔部８ｅが形成されている。
【００１３】
図４は第二接合部材９を示す、平面図（ａ）、正面図（ｂ）および側面図（ｃ）である。第二接合部材９は、正面壁９ａと、正面壁９ａの下端縁を正面壁９ａの面に略垂直に後方に延出してなる下面壁９ｂと、正面壁９ａの上端縁を正面壁９ａの面に略垂直に後方に延出してなる上面壁９ｃとから側面視略コ字状に形成されている。
【００１４】
第二接合部材９の左右方向中央部位には所定幅を有する切り欠き部９ｄが形成されている。切り欠き部９ｄは、下面壁９ｂおよび正面壁９ａの全体および上面壁９ｃの一部にわたって連続状に形成されている。上面壁９ｃに形成された切り欠き部は、左右方向に延出する端縁１０ａ、前後方向に延出する左右の端縁１０ｂ，１０ｂとを有する略長方形状の第一受け部１０を構成している。正面壁９ａの左右方向端部には上下方向に延出する細幅状の切り欠き部が形成されており、該切り欠き部は第二受け部１１を構成している。尚、実施の形態のものでは、第二受け部１１の上下は上面壁９ｃの下面と正面壁９ａの切り欠き下端縁とによって決定されているが、正面壁９ａを高さ全体にわたって切り欠くことで、下面壁９ｂの上面が第二受け部１１の下端を決定するようにしてもよい。
【００１５】
上面壁９ｃの左右方向端部部位は後方に向って水平状に延出しており、該延出片を装着片９ｆとして上枠１に連結される。正面壁９ａには切り欠き部９ｄを挟むようにして二つの孔部９ｅが形成されている。
【００１６】
第一接合部材８の正面壁８ａと第二接合部材９の正面壁９ａとは略同じ左右方向の長さを有しており、第一接合部材８の切り欠き部８ｄと第二接合部材９の切り欠き部９ｄとは略同じ左右方向の幅寸法を有している。第一接合部材８の中央延出片８ｃの幅寸法（すなわち左右方向に延出する端縁８０ａの寸法）は、第二接合部材９の第一受け部１０の幅寸法（すなわち左右方向に延出する端縁１０ａの寸法）よりも僅かに小さい寸法となっている。第一接合部材８の高さ寸法は、第二接合部材９の高さ寸法よりも小さい寸法となっており、詳しくは、第一接合部材８の折曲片８ｂの高さ寸法は、第二接合部材９の第二受け部１１の高さ寸法よりも僅かに小さい寸法となっている。
【００１７】
第一接合部材８を第二部材９に重合させると、第一接合部材８の中央延出片８ｃが第二接合部材９の第一受け部１０に、第一接合部材８の左右の折曲片８ｂが第二接合部材の第二受け部１１に係合する。好ましくは、図８に示すように、中央延出片８ｃおよび折曲片８ｂの延出方向先端部位のみが第一受け部１０、第二受け部１１に係合するようになっている。そして、重合状態では、第一接合部材８の受け孔８ｅと第二接合部材９の受け孔９ｅ、第一接合部材８の正面壁８ａの切り欠き部８ｄと第二接合部材９の正面壁９ａの切り欠き部９ｄとが合致するようになっている。
【００１８】
本実施の形態では、第一接合部材８は竪枠２に、第二接合部材９は上枠１に取着されるようになっている。もっとも、第一接合部材８と第二接合部材９の端部の会合の態様によっては、第一接合部材８が上枠１に、第二接合部材９が竪枠２に取着される場合もあり得る。また、実施の形態では第一接合部材８と第二接合部材９は水平方向に移動させて重合するようになっているが、これらを上下方向に移動させて重合する場合もあり得る。
【００１９】
図５は、第一接合部材８と竪枠１との組立図であって、（ａ）は平面図、（ｂ）は正面図である。竪枠２は、断面視において、凹溝１２を備えた前壁２ａと、対向する側壁２ｂ，２ｂと側壁２ｂ，２ｂの後端部から前壁２ａに平行して対向状に延出した後壁２ｃ，２ｃとを有している。第一接合部材８は受け孔８ｅにおいて、ポップナット１３を介して竪枠２の前壁２ａに取り付けられており、切り欠き部８ｄが凹溝１２に位置するようになっている。
【００２０】
図６は、第二接合部材９と上枠１との組立図であって、（ａ）は平面図、（ｂ）は正面図である。上枠１は、断面視において、凹溝１２を備えた下面壁１ａと、対向する側壁１ｂ，１ｂと側壁１ｂ，１ｂの上端部から下面壁１ａに平行して対向状に延出した上面壁１ｃ，１ｃとを有している。第一接合部材９は延出片９ｆ，９ｆが上面壁１ｃ，１ｃの内側に、下面壁９ｂが上枠１の下面壁１ａの内側に当接しており、延出片９ｆ，９ｆにおいて、螺子１４を介して上枠１の上面壁１ｃ，１ｃに取り付けられており、切り欠き部９ｄが凹溝１２に位置するようになっている。また、実施の形態のものでは、第二接合部材９は、上枠１の端部よりも幾分中に入った奥まった部位（図示のものでは、中央延出片８ｃの短辺側の端縁８０ｂの寸法の約半分中に入った部位）に設けてある。
【００２１】
図７は、第一接合部材８を備えた竪枠２と，第二接合部材を備えた上枠１の組み立てを説明する分解斜視図である。上枠１と竪枠２とは互いに直交するように連結される。第一接合部材８の中央延出片８ｃを第二接合部材９の第一受け部１０に係合させると共に、第一接合部材８の左右の折曲片８ｂ，８ｂを第二接合部材９の第二受け部１１，１１に係合させるようにして第一接合部材８と第二接合部材９とを重合させ、この状態で、固着部材１５によって、第二接合部材に形成した受け孔９ｅ、第一接合部材８に形成した受け孔８ｅに設けたポップナット１３を介して、第一接合部材８と第二接合部材９とを固着するように構成されており、もって、上枠１と竪枠２とを直交状に連結するようになっている。
【００２２】
図８は、上枠１と竪枠２が連結された状態を示す部分切り欠き平面図であり、上枠１の端部と竪枠２の前壁２ａとが当接している。中央延出片８ｃの前後方向に延出する左右の端縁８０ｂ，８０ｂは、第一受け部１０の前後方向に延出する左右の端縁１０ｂ，１０ｂに当接あるいは近接しており、左右方向の移動が規制される。中央延出片８ｃは延出先端側のみが第一受け部１０に係合しており、中央延出片８ｃの端縁８０ａは、第一受け部１０の端縁１０ａと間隔を存して対向している。左右の折曲片８ｂも同様に、延出先端側のみが第二受け部１１に係合している。
【００２３】
図９乃至図１１は竪枠２と下枠４０との連結に係る実施の形態であり、同一あるいは類似の部材には同一の参照番号が付してある。図９は下枠４０に装着される第二接合部材９０であり、第二接合部材９０は、第二接合部材９と同様に、正面壁９ａと、正面壁９ａの下端縁を正面壁９ａの面に略垂直に後方に延出してなる下面壁９ｂと、正面壁９ａの上端縁を正面壁９ａの面に略垂直に後方に延出してなる上面壁９ｃとから側面視略コ字状に形成されている。
【００２４】
第二接合部材９０の左右方向中央部位には、正面壁９ａおよび上面壁９ｃの一部にわたって切り欠き部が形成されており、上面壁９ｃに形成された切り欠き部は略長方形状の第一受け部１０を構成している。正面壁９ａの左右方向端部には上下方向に延出する細幅状の切り欠き部が形成されており、該切り欠き部は第二受け部１１を構成している。
【００２５】
図１０および図１１から明らかなように、第二接合部材９０は図９に示す状態と上下逆転して下枠４０に装着される。したがって、下枠４０に装着された態様では、図９に基づいて説明した上壁９ｃが下側、下壁９ｂが上側となっている。さらに、図１０および図１１から明らかなように、第一接合部材８も図３に示す状態と上下逆転して竪枠２に装着される。したがって、竪枠２の下端部位に装着された態様では、図３における正面壁８ａの上端縁は下端縁となり、中央延出片８ｃは正面壁８ａの下端縁から水平方向に延出するようになっている。第一接合部材８と第二接合部材９０との連結は、上下が逆転していることを除いて、第一接合部材８と第二接合部材９との連結構造と同じである。
【００２６】
【発明の効果】
本発明は上述のように構成されたものであり、以下に述べるような有利な効果を奏するものである。
（１）互いに直交する部材は、それぞれに装着された第一接合部材、第二接合部材を介して接合され、外力は前記接合部材が負担するため、強度的に強く、互いに直交する部材が外力の影響を受け難いようになっている。
（２）第一接合部材の係合片である横片および縦片、第二接合部材の係合受け部である第一受け部および第二受け部は、それぞれ部材を切り欠くことで形成できるため、位置出しのための寸法精度が出し易い。
（３）横片、縦片が、延出方向の先端部位のみが第一受け部、第二受け部に係合するように構成されているものでは、先端部位を容易に研磨することができるため、現場における調節が可能となる。これに関連して、横片および縦片が延出方向の全体において係合するような場合には、特に基端側の研磨は困難である。
（４）従来例で示したガイドプレート方式のものでは、部材の見込み寸法が変わると、ガイドプレートをその見込み寸法に合わせて作る必要があったが、本発明に係る接合部材では部材の見込み寸法に関係なく、共通の接合部材を用いることができる。
【図面の簡単な説明】
【図１】金属製建具の正面図である。
【図２】 図１に示す建具の横断面図（ａ）および縦断面図（ｂ）である。
【図３】第一接合部材の平面図（ａ）および正面図（ｂ）である。
【図４】第二接合部材の平面図（ａ）、正面図（ｂ）および側面図（ｃ）である。
【図５】第一接合部材と竪枠とを連結した状態を示す平面図（ａ）および正面図（ｂ）である。
【図６】第二接合部材と上枠とを連結した状態を示す平面図（ａ）および正面図（ｂ）である。
【図７】第一接合部材を備えた竪枠と，第二接合部材を備えた上枠の組み立てを説明する分解斜視図である
【図８】上枠と竪枠が連結された状態を示す部分切り欠き平面図である。
【図９】他の実施の形態に係る第二接合部材の平面図（ａ）、正面図（ｂ）および側面図（ｃ）である。
【図１０】（ａ）は下枠と第二接合部材との関係を示す側面図、（ｂ）は下枠と第一接合部材の位置関係を示す側面図である。
【図１１】（ａ）は竪枠の下方部位と第一接合部材との連結関係を示す側面図、（ｂ）は竪枠と下枠が連結された状態を示す部分切り欠き底面図である。
【図１２】（ａ）、（ｂ）は共に上枠と竪枠の従来の接合手段を示す図である。
【符号の説明】
１    上枠
２    竪枠
８    第一接合部材
８ａ  正面壁
８ｂ  折曲片
８ｃ  中央延出片
９    第二接合部材
９ａ  正面壁
９ｂ  下面壁
９ｃ  上面壁
１０  第一受け部
１１  第二受け部
【図１】
0003650924.tif 000002
【図２】
0003650924.tif 000003
【図３】
0003650924.tif 000004
【図４】
0003650924.tif 000005
【図５】
0003650924.tif 000006
【図６】
0003650924.tif 000007
【図７】
0003650924.tif 000008
【図８】
0003650924.tif 000009
【図９】
0003650924.tif 000010
【図１０】
0003650924.tif 000011
【図１１】
0003650924.tif 000012
【図１２】
0003650924.tif 000013